(57)【要約】【課題】効率よく脱水槽の換気を行い、衣類の乾燥を促進させて脱水効率を向上する。【解決手段】衣類を洗濯する洗濯槽１と、衣類を脱水し上部に開口部８を有する脱水槽６と、開口部８を開閉する内フタ５と、内フタ５を上方から覆う外フタ４をと備え、内フタ５と外フタ４とには脱水槽６内部と外部とを連通する換気口を設けたことにより、脱水槽内部の湿気を低減し、遠心力による脱水だけでなく、衣類の乾燥を促進することで脱水効率が向上する。【選択図】図３
2014076084.tif 000002
【特許請求の範囲】
【請求項１】
衣類を洗濯する洗濯槽と、衣類を脱水し上部に開口部を有する脱水槽と、前記開口部を開閉する内フタと、前記内フタを上方から覆う外フタをと備え、前記内フタと前記外フタとには前記脱水槽内部と外部とを連通する換気口を設けたことを特徴とする二槽式洗濯機。
【請求項２】
前記内フタに設けた換気口は、前記脱水槽の中央近傍に対応する位置に設けた吸気口と、前記脱水槽の外周近傍に対応する位置に設けた排気口とを有する構成の請求項１に記載の二槽式洗濯機。
【発明の詳細な説明】
【技術分野】
【０００１】
本発明は脱水槽の空気を換気する機能を備えた二槽式洗濯機に関するものである。
【背景技術】
【０００２】
従来、二槽式洗濯機においては、機体に配置された脱水槽を高速回転させ、遠心力により水分を洗濯物から分離する方式が一般的である（例えば、特許文献１参照）。
【０００３】
図４は、従来の二槽式洗濯機を示したもので、以下その構成について説明する。
【０００４】
本体１００に設けた衣類を洗濯する洗濯槽１は、底面にパルセータ３を回転自在に設けている。上部カバー２は、洗濯槽１の上部に設け、洗濯槽１の内方に延設され、前面および側面を覆うものである。
【０００５】
また、衣類を脱水し上部に衣類投入用の開口部８を有する脱水槽６の上部には、開口部８を開閉する内フタ５と、内フタ５を上方から覆う外フタ４とを備える。内フタ５は、脱水槽６の上部に設けた脱水受けカバー７に設けられ、外フタ４は、上部カバー２に取付けられている。
【０００６】
脱水運転において、内フタ５と外フタ４を閉じた状態にして、脱水槽６を高速回転させることにより、遠心力で水分を洗濯物から分離する。
【先行技術文献】
【特許文献】
【０００７】
【特許文献１】特開平１０−１１８３８３号公報
【発明の概要】
【発明が解決しようとする課題】
【０００８】
しかしながら、前記従来の構成では、脱水運転中に脱水槽内部の空気が機体外の空気と入れ替わることが無く、脱水効率に限界があった。
【０００９】
本発明は、前記従来の課題を解決するもので、内フタ及び外フタに換気口を設け、脱水運転中に脱水槽内部の空気を排気し外気を吸い込むことで、脱水槽内部の湿気を低減し、遠心力による脱水だけでなく、衣類の乾燥を促進することで脱水効率を向上させることを目的とする。
【課題を解決するための手段】
【００１０】
前記従来の課題を解決するために、本発明の二槽式洗濯機は、衣類を洗濯する洗濯槽と、衣類を脱水し上部に開口部を有する脱水槽と、前記開口部を開閉する内フタと、前記内フタを上方から覆う外フタをと備え、前記内フタと前記外フタとには前記脱水槽内部と外部とを連通する換気口を設けたものである。
【００１１】
これによって、換気口を介して脱水槽内部の空気が換気され、脱水槽内部の湿気が低減し、遠心力による脱水だけでなく、衣類の乾燥を促進することで脱水効率が向上する。
【発明の効果】
【００１２】
本発明の二槽式洗濯機は、換気口を介して脱水槽内の空気を換気することにより、遠心力による脱水だけでなく、衣類の乾燥を促進することで脱水効率が向上する。
【図面の簡単な説明】
【００１３】
【図１】（ａ）本発明の実施の形態における二槽式洗濯機の外フタの平面図  （ｂ）同、斜視図
【図２】（ａ）本発明の実施の形態における二槽式洗濯機の内フタの平面図  （ｂ）同、斜視図
【図３】本発明の実施の形態における脱水槽と換気口の位置関係を示す図
【図４】従来の二槽式洗濯機の斜視図
【発明を実施するための形態】
【００１４】
第１の発明は、衣類を洗濯する洗濯槽と、衣類を脱水し上部に開口部を有する脱水槽と、前記開口部を開閉する内フタと、前記内フタを上方から覆う外フタをと備え、前記内フタと前記外フタとには前記脱水槽内部と外部とを連通する換気口を設けたことにより、換気口を介して脱水槽内部の空気が換気され、脱水槽内部の湿気が低減し、遠心力による脱水だけでなく、衣類の乾燥を促進することで脱水効率が向上する。
【００１５】
第２の発明は、特に、第１の発明の内フタに設けた換気口は、前記脱水槽の中央近傍に対応する位置に設けた吸気口と、前記脱水槽の外周近傍に対応する位置に設けた排気口とを有する構成としたことにより、脱水槽の回転に連動して、脱水槽の回転運動によって生じた空気を効率良く換気することができる。
【００１６】
以下、本発明の実施の形態について、図面を参照しながら説明する。なお、従来例と同じ構成のものは同一符号を付して説明を省略する。また、この実施の形態によって本発明が限定されるものではない。
【００１７】
（実施の形態１）
図１（ａ）は、本発明の実施の形態における二槽式洗濯機の外フタの平面図で、図１（ｂ）はその斜視図を示す。図２（ａ）は、本発明の実施の形態における二槽式洗濯機の内フタの平面図で、図２（ｂ）はその斜視図を示す。図３は、本発明の実施の形態における脱水槽と換気口の位置関係を示す図である。
【００１８】
以下、図１〜４を用いて説明する。
【００１９】
脱水槽６は、洗濯槽１とは別に、本体１００に鉛直方向を軸として回転するよう設けられている。
【００２０】
衣類を脱水し上部に衣類投入用の開口部８を有する脱水槽６の上部には、開口部８を開閉する内フタ５と、内フタ５を上方から覆う外フタ４とを備える。内フタ５は、脱水槽６の上部に設けた脱水受けカバー７に設けられ、外フタ４は、上部カバー２に取付けられている。
【００２１】
内フタ５の端部は、脱水受けカバー７に回転可能に軸支され、脱水運転時に内フタ５を閉じることで、水の飛散防止と使用者の安全性を確保する。
【００２２】
また、外フタ４の端部は、上部カバー２に回転可能に軸支され、外フタ４が閉じていることを検知手段（図示せず）が検知し、外フタ４が閉じている場合に脱水槽６が回転動作することで、使用者の安全性を確保する。
【００２３】
内フタ５と外フタ４にはそれぞれ換気口を設けている。外フタ４に設けた換気口１１は、脱水槽６の外周近傍に対応する配置し、吸気口９と排気口１０とは、内フタ５に設けた
換気口として、脱水槽６の外周近傍に対応する位置に配置されている。また、換気口１１は、排気口１０に近接して設けている。
【００２４】
換気口１１は、本体１００の長手方向に設けられ、通気孔が複数個連なった構成からなる。また、吸気口９は、脱水槽６の略中心部から放射状に延伸された複数個の通気孔からなり、排気口１０は、脱水槽６の外周に沿って同心円上に延伸された複数個の通気孔からなる。
【００２５】
以下に、動作を説明する。
【００２６】
内フタ５と外フタ４を閉じた状態にして、脱水槽６を高速回転させて脱水運転を行う。図３に示すように、脱水槽６は矢印方向に回転する。脱水槽６の回転に連動し、遠心力によって脱水槽６の開口部８における略中心部には吸引力が生じる。この吸引力により、内フタ５に設けた吸気口９から脱水槽６内部に向けて、外フタ４に設けた換気口１１を介して外気が吸引される。
【００２７】
また、脱水槽６の回転に連動し、遠心力によって脱水槽６の開口部８における外周部には排気作用が生じる。この排気作用により、内フタ５に設けた排気口１０から機体外に向けて、外フタ４に設けた換気口１１を介して脱水槽６内の空気が排気される。この排気された空気には、脱水槽６内部の湿気が含まれる。
【００２８】
このように、脱水槽６の回転に連動し、外フタ４に設けた換気口１１と、内フタ５に設けた吸気口９および排気口１０を介して、脱水槽６内の空気の換気が行われ、脱水槽６内部の湿気が排気され、衣類の乾燥が促進され、脱水効率が向上する。これにより、衣類の簡易的な乾燥も可能となる。
【００２９】
なお、本実施の形態においては、外フタ４には換気口１１を１カ所に設けたが、内フタ５に設けた吸気口９および排気口１０のそれぞれに対応する位置に換気口１１を複数個設けることで、より換気が効率よく行われ、衣類の乾燥が一層促進され、脱水効率がさらに向上する。
【産業上の利用可能性】
【００３０】
以上のように、本発明にかかる二槽洗濯機は、脱水槽内の空気を効率良く換気し、脱水効率が向上するので、脱水機能や、衣類の乾燥機能を有する他の洗濯機の用途にも適用できる。
【符号の説明】
【００３１】
１  洗濯槽
４  外フタ
５  内フタ
６  脱水槽
８  開口部
９  吸気口
１０  排気口
１１  換気口
【図１】
2014076084.tif 000003
【図２】
2014076084.tif 000004
【図３】
2014076084.tif 000005
【図４】
2014076084.tif 000006